(57)【要約】【課題】警察官が車外から三点式シートベルト装置の着用を容易に判別でき、搭乗者に着用を意識させることができる三点式シートベルト装置を提供する。【解決手段】座席１５の左右いずれか一方側下部から他方側下部に左右に延びる下部固定部１２と、下部固定部１２の左右いずれかから座席１５の一方側上部に斜めに延びる斜め固定部１３を備え、下部固定部１２及び斜め固定部１３を押し付けて座席１５上の人１４や物を座席１５に固定する三点式シートベルト装置１０であって、斜め固定部１３の表面側に、目立つ色彩１１ａを施した。【選択図】図１
2009269536.tif 000002
【特許請求の範囲】
【請求項１】
座席の左右いずれか一方側下部から他方側下部に左右に延びる下部固定部と、前記下部固定部の左右いずれかから前記座席の一方側上部に斜めに延びる斜め固定部を備え、前記下部固定部及び斜め固定部を押し付けて前記座席上の人や物を前記座席に固定する三点式シートベルト装置であって、
前記斜め固定部の表面側に、目立つ色彩又は模様を施したことを特徴とする三点式シートベルト装置。
【請求項２】
前記斜め固定部の表面側の幅方向を、目立つ色彩又は模様と地味な色彩で区分けしたことを特徴とする請求項１に記載の三点式シートベルト装置。
【請求項３】
前記斜め固定部となるシートベルトの表面及び裏面の両面に、異なる目立つ色彩又は模様を施したことを特徴とする請求項１に記載の三点式シートベルト装置。
【請求項４】
前記斜め固定部となるシートベルトの表面及び裏面の両面に、同一の目立つ色彩又は模様を施したことを特徴とする請求項１に記載の三点式シートベルト装置。
【発明の詳細な説明】
【技術分野】
【０００１】
本発明は、自動車の座席上に人や物を固定する三点式シートベルト装置に関するものである。
【背景技術】
【０００２】
図８及び図９に示すように、通常、自動車の運転席や助手席には、いわゆる三点式シートベルト装置２０が設けられている。
この三点式シートベルト装置２０は、例えば、車両右側の座席（運転席）１５においては、左右に延びてドライバー（人）１４の腹部を固定する下部固定部１２と、斜めに延びてドライバー１４の腹部から肩にかけての部分を固定する斜め固定部１３を備えている。
より詳細には、一本のシートベルト２１の中間部に設けたフックを、座席１５の側部に設けたバックル（図示しない）に挿着することにより、フックの上下に斜め固定部１３と下部固定部１２が形成され、両固定部１２，１３でドライバー１４を座席１５に抑えつけるようになっている。
【０００３】
このような三点式シートベルト装置２０を着用すれば、交通事故に会ったとしても、下部固定部１２及び斜め固定部１３がドライバー１４を座席１５にしっかり固定するので、ドライバー１４の頭や胸がフロントガラス等へ激突することが防止される。なお、助手席においても同様である。
【０００４】
三点式シートベルト装置２０は、乗車の際の安全には欠かせないものであるが、着用の煩わしさ等により未着用のまま運転してしまう人も少なくない。
その対策として、三点式シートベルト装置２０を未着用のまま運転するとき、メーターパネル等に設けた警告灯によって注意を促すことが一般的であるが、この警告灯はドライバー１４にとって目障りではないので、警告を無視したまま運転するケースもある。
そこで、三点式シートベルト装置２０を未着用状態で運転したときに、音声や画像で未着用状態であることをドライバー１４に報知して、三点式シートベルト装置２０の着用を促すものが知られている（例えば、特許文献１）。
【０００５】
【特許文献１】特開２００２−２１１３５７号公報
【発明の開示】
【発明が解決しようとする課題】
【０００６】
しかしながら、特許文献１に記載されたシートベルト着用促進装置であっても、警告がそれほど不快ではないため、やはり警告を無視して未着用のまま運転することは可能である。
よって、三点式シートベルト装置の着用率向上に大きな効果があったとは言い難い。したがって、より着用率を向上させるためには、三点式シートベルト装置未着用の罰則を搭乗者により強く意識させる必要がある。
【０００７】
一方、ドライバー１４を含む搭乗者がシートベルトを着用していても、図９に示したように、正しい着用でないと安全性は確保されない。
特に三点式シートベルト装置の場合はねじれ易く、図１０に示すように、斜め固定部１３がねじれた状態になったり、あるいは、図１１に示すように、下部固定部１２がねじれた状態になると、交通事故の際にシートベルトによる固定機能が十分発揮されず、かえって危険な状態になってしまう。
【０００８】
また、従来のシートベルトの色は、薄茶といったような地味な単色であるので、下部固定部１２や斜め固定部１３にねじれが生じた場合に、ドライバー１４等が気付き難いといった問題もある。
【０００９】
そこで、本発明の目的とするところは、警察官が車外から三点式シートベルト装置の着用を容易に判別できる三点式シートベルト装置を提供することにある。
また、ドライバー等の搭乗者によって着用中のシートベルトのねじれを容易に把握可能な三点式シートベルト装置を提供することにある。
【課題を解決するための手段】
【００１０】
上記の目的を達成するために、本発明の請求項１に記載の三点式シートベルト装置（１０）は、座席（１５）の左右いずれか一方側下部から他方側下部に左右に延びる下部固定部（１２）と、下部固定部（１２）の左右いずれかから座席（１５）の一方側上部に斜めに延びる斜め固定部（１３）を備え、下部固定部（１２）及び斜め固定部（１３）を押し付けて座席（１５）上の人（１４）や物を座席（１５）に固定する三点式シートベルト装置（１０）であって、斜め固定部（１３）の表面側に、目立つ色彩（１１ａ，１１ｅ）又は模様（１１ｃ）を施したことを特徴とする。
【００１１】
また、請求項２に記載の三点式シートベルト装置（１０）は、斜め固定部（１３）の表面側の幅方向を、目立つ色彩（１１ａ）又は模様（１１ｃ）と地味な色彩（１１ｂ，１１ｄ）で区分けしたことを特徴とする。
【００１２】
また、請求項３に記載の三点式シートベルト装置（１０）は、斜め固定部（１３）となるシートベルト（１１）の表面及び裏面の両面に、異なる目立つ色彩（１１ａ，１１ｅ）又は模様（１１ｃ）を施したことを特徴とする。
【００１３】
また、請求項４に記載の三点式シートベルト装置（１０）は、斜め固定部（１３）となるシートベルト（１１）の表面及び裏面の両面に、同一の目立つ色彩（１１ｅ）又は模様（１１ｃ）を施したことを特徴とする。
【００１４】
ここで、斜め固定部（１３）の表面側とは、正しい着用状態において、車外から視認できる斜め固定部（１３）の面を指す。
また、上下左右とは、座席（１５）上の人（１４）から見た方向を指す。
【００１５】
上記括弧内の記号は、図面および後述する発明を実施するための最良の形態に掲載された対応要素または対応事項を示す。
【発明の効果】
【００１６】
本発明の請求項１に記載の三点式シートベルト装置によれば、斜め固定部の表面側に、目立つ色彩又は模様を施したので、警察官が車外から座席上の人を見たときに、シートベルトを着用しているか否かの判別を瞬時に行うことができる。
その結果、ドライバーを含む搭乗者による三点式シートベルト装置の着用率が向上することが予想される。
また、目立つ色彩として蛍光色を施すことによって、夜間であっても車外からの判別性は良好なので、夜間の三点式シートベルト装置の着用率も低下しない。
【００１７】
また、請求項２に記載の三点式シートベルト装置によれば、請求項１に記載の発明の作用効果に加え、斜め固定部の表面側の幅方向を、目立つ色彩又は模様と地味な色彩で区分けしたので、色彩の施し方に方向性が出る。すなわち、その方向性により、三点式シートベルト装置の正しい着用状態とねじれた状態との相違が明らかとなるので、ドライバー等の搭乗者は、ねじれに気付きやすく、三点式シートベルト装置を正しく着用し直すことが容易である。
【００１８】
また、請求項３に記載の三点式シートベルト装置によれば、請求項１に記載の発明の作用効果に加え、斜め固定部となるシートベルトの表面及び裏面の両面に、異なる目立つ色彩又は模様を施したので、ねじれて裏面が露呈した場合、異なる目立つ色彩は座席上の人に対し、本来見えてはいけない色彩であるとより強く認識させることができる。よって、ドライバー等の搭乗者は、よりねじれに気付きやすく、三点式シートベルト装置を正しく着用し直すことが容易である。
【００１９】
また、請求項４に記載の三点式シートベルト装置によれば、斜め固定部となるシートベルトの表面及び裏面の両面に、同一の目立つ色彩又は模様を施したので、警察官が車外から座席上の人を見たときに、三点式シートベルト装置着用の判別が容易にでき、シートベルト着用率が向上する。
【００２０】
なお、本発明の三点式シートベルト装置のように、目立つ色彩や模様によって搭乗者がシートベルトのねじれに即座に気付くようにしたり、警察官から容易に視認されるようにした点は、上述した特許文献１には全く記載されていない。
【発明を実施するための最良の形態】
【００２１】
（第一実施形態）
図１乃至図４を参照して、本発明の第一実施形態に係る三点式シートベルト装置１０について説明する。図１は、図４に示すシートベルト１１の正しい着用状態を示す斜視図であり、図８で示した車両右側の座席（運転席）１５上のドライバー１４による着用状態を示している。図４は、本発明の第一実施形態に係る三点式シートベルト装置１０におけるシートベルト１１を示す拡大斜視図である。
【００２２】
この三点式シートベルト装置１０は、従来例で示した三点式シートベルト装置２０と同様に、車両右側の座席（運転席）１５において、左右に延びてドライバー１４の腹部を固定する下部固定部１２と、左下から右上に斜めに延びてドライバー１４の腹部から肩にかけての部分を固定する斜め固定部１３を構成するシートベルト１１を備え、さらにフック（図示しない）と、フックに嵌合するバックル（図示しない）と、巻き取り機構１６を備えている。
フックは、シートベルト１１の中間部に設けられ、そのフックを座席１５の左側下部に設けたバックル（図示しない）に挿着することにより、フックの上部に斜め固定部１３が形成されるとともにフックの下部に下部固定部１２が形成され、両固定部１２，１３でドライバー１４を座席１５に抑えつけるようになっている。なお、シートベルト１１はフックに形成された長孔に貫通している。
【００２３】
下部固定部１２は、座席（運転席）１５の右側下部に固定された端部から、バックルに挿着されたフックまで左右に延びる部分であり、斜め固定部１３は、フックから右側上部に斜めに延びる部分である。斜め固定部１３の右側上部側の端部は、座席１５の右側上部の支点部１７に貫通してそこで折り返され、支点部の下方にある巻き取り装置１６により巻き取られ、下部固定部１２及び斜め固定部１３が一定の張力になるように調整されている。
【００２４】
そして、特に本実施形態では、図１や図４で示すように、斜め固定部１３の表面側の幅方向を、目立つ色彩１１ａと、地味な色彩１１ｂで区分けし、なお且つ、目立つ色彩１１ａを施した部分の裏に同一の目立つ色彩１１ａを、地味な色彩１１ｂの部分の裏に地味な色彩１１ｂを施したものである。なお、区分け位置は特に限定されるものではないが、こでは幅方向中央とした。
すなわち、図４に示すように、長さ方向を紙面左右方向、幅方向を紙面上下方向としてシートベルト１１を置いた場合、シートベルト１１の下半分は表面及び裏面の両面共に目立つ色彩１１ａを施しており、上半分は両面共に従来のシートベルト１１のような地味な色彩１１ｂである。
また、これらの色彩は、シートベルト１１の全長に亘って表裏共に施されている。
ここでは、目立つ色彩１１ａとして赤色を使用し、地味な色彩１１ｂとしては薄い茶色のものを使用した。
【００２５】
以上のようにシートベルト１１に目立つ色彩１１ａを施したので、警察官が車外から座席１５上の人１４を見たとき、三点式シートベルト装置１０を着用しているか否かの判別を瞬時にしかも容易にできる。
すなわち、従来のシートベルト２１は地味な単色のものであるので、斜め固定部１３が車外から見え難く、実際に三点式シートベルト装置２０を着用しているか否か判別し難く、警察官が交通取締りを行い難かったが、本実施形態の場合、容易に判別できるので警察官は積極的に交通取締りを行える。
よって、搭乗者は警察官による積極的な交通取締りを恐れて三点式シートベルト装置１０の着用率が向上することが予想される。
【００２６】
また、目立つ色彩１１ａとして赤色を使用すれば、夜間であっても車外からのシートベルト１１の判別性は良好なので、夜間の三点式シートベルト装置１０の着用率が日中と比べ、低下することはない。
【００２７】
それに加え、目立つ色彩１１ａと地味な色彩１１ｂでシートベルト１１を区分けしたことにより、三点式シートベルト装置１０着用の際、ドライバー１４を含む搭乗者は、シートベルト１１がねじれてしまった場合にもそのねじれに気付きやすいので、正しく着用し直すことが容易である。以下、これに関して説明する。
【００２８】
図１に示すように、車両右側の座席１５にて三点式シートベルト装置１０を正しく着用すると、下部固定部１２において、下部固定部１２の下側が目立つ色彩１１ａとなり、下部固定部１２の上側が地味な色彩１１ｂとなる。また、斜め固定部１３において、斜め固定部１３の右下部分が目立つ色彩１１ａとなり、斜め固定部１３の左上部分が地味な色彩１１ｂとなる。
なお、一本の繋がったシートベルト１１が、座席１５の左側下部のフックで折り返されているので、斜め固定部１３の表面がシートベルト１１の表面とすると、下部固定部１２の表面はシートベルト１１の裏面となっている。
【００２９】
これに対してシートベルト１１がねじれると、図２や図３で示すようになる。図２は、図４に示すシートベルト１１の斜め固定部１３がねじれた状態を示す斜視図であり、図３は、図４に示すシートベルト１１の下部固定部１２がねじれた状態を示す斜視図である。
【００３０】
図２においては、正常な着用状態ならば、斜め固定部１３表面の右下部分が目立つ色彩１１ａとなるが、斜め固定部１３がねじれているので、ねじれた箇所より上方の斜め固定部１３において、裏面が露呈して左上部分が目立つ色彩１１ａとなっている。したがって、斜め固定部１３がねじれた従来例を示す図１０と比べて、本実施形態のほうが格段に斜め固定部１３のねじれがわかりやすい。
図３においては、正常な着用状態ならば、下部固定部１２表面の下側が目立つ色彩１１ａとなるが、下部固定部１２がねじれているので、ねじれた箇所より右側の下部固定部１２において、裏面が露呈して上側が目立つ色彩１１ａとなっている。したがって、下部固定部１２がねじれた従来例を示す図１１に比べて、本実施形態のほうが格段に下部固定部１２のねじれがわかりやすい。
【００３１】
以上より、ねじれている部分が斜め固定部１３又は下部固定部１２のどちらであっても、正しい着用状態とねじれた状態との相違が明らかであるので、座席１５上の人１４がシートベルト１１のねじれに一目で気付き、正しく着用し直すことができる。
これによれば、交通事故の際に、シートベルト１１のねじれた部分による悪影響、例えば、シートベルト１１のねじれた部分が座席１５上の人１４の腹部に対して過剰に圧迫するような事態を避けることができるので安全である。
【００３２】
また、図１に示す三点式シートベルト装置１０の正しい着用状態において、斜め固定部１３の右下部分と左上部分のうち、いずれが目立つ色彩１１ａであるかを座席１５上の人１４が覚えておくことで、ねじれた箇所より上方を直すべきか、下方を直すべきかが即座にわかる。よって、ねじれを直すことが容易である。なお、下部固定部１２に関しても、同様にねじれを直すことが容易である。
【００３３】
それでいて、一旦正しく三点式シートベルト装置１０を着用してしまえば、三点式シートベルト装置１０の着用を解除するまで、座席１５上の人１４はシートベルト１１のねじれを再び確認する必要は無い。よって、シートベルト１１に目立つ色彩１１ａが施されていても、座席１５上の人１４が前方を見ているときには目立つ色彩１１ａが視界に入らないので、運転に何ら支障はなく、安全である。
【００３４】
ここで、目立つ色彩１１ａと地味な色彩１１ｂでの区分け方は、第一実施形態の区分け方に限定するものではなく、第一実施形態の目立つ色彩１１ａと地味な色彩１１ｂの部分が逆になっていても良い。すなわち、斜め固定部１３において、左上部分が目立つ色彩１１ａで、右下部分が地味な色彩１１ｂとなる色彩の施し方でも良い。また、幅方向中央での区分けに限るものではなく、区分けが幅方向中央からずれていても良い。
また、目立つ色彩１１ａの部分の裏に地味な色彩１１ｂを、地味な色彩１１ｂの部分の裏に目立つ色彩１１ａを施しても良い。
【００３５】
また、幅方向の区分けは、図４のように目立つ色彩１１ａと地味な色彩１１ｂで行うものに限られるものではなく、図５に示すように、例えば、しま模様といった目立つ模様１１ｃと地味な色彩１１ｄで行っても良い。
【００３６】
（第二実施形態）
次に、図６及び図７を参照して、本発明の第二実施形態に係る三点式シートベルト装置１０について説明する。図６は、本発明の第二実施形態に係る三点式シートベルト装置１０におけるシートベルト１１を示す拡大斜視図である。図７は、図６に示すシートベルト１１の、斜め固定部１３がねじれた状態を示す斜視図である。なお、第一実施形態と同一部分には同一符号を付した。
【００３７】
第一実施形態と第二実施形態の構成の違いは、シートベルト１１の色彩の施し方のみである。すなわち、第二実施形態では、図６に示すように、斜め固定部１３の表面となるシートベルト１１の表面全てに、例えば、赤色といった目立つ色彩１１ｅを施し、裏面には従来のような、例えば、薄い茶色といった地味な色彩１１ｆを施したものである。
【００３８】
第二実施形態も第一実施形態と同様に、車外から三点式シートベルト装置１０の着用が容易に判別できるので、三点式シートベルト装置１０の着用率が上昇することが見込まれる。
また、正しい着用状態ならば、斜め固定部１３の表面は全て目立つ色彩１１ｃとなるが、図７のように斜め固定部１３がねじれると、ねじれた箇所より上方において、裏面の地味な色彩１１ｄが露呈する。したがって、地味な色彩１１ｄが裏側となるように、ねじれを取ればよいことが一目でわかるので、正しく着用し直すことが容易である。
また、下部固定部１２において、正しい着用状態の下部固定部１２の表面は地味な色彩１１ｄなので、図で示すことは省略したが、下部固定部１２がねじれたとしても、露呈した目立つ色彩１１ｃが裏側となるように直せばよいことが同様に一目でわかり、正しく着用し直すことが容易である。
【００３９】
以上のように、本発明の第一、第二実施形態では、車体の右側の座席１５、すなわち運転席側について述べたが、これに限るものではなく、車体の左側の座席１５である助手席についても同様に適用可能である。助手席の場合、運転席側とは左右対称の三点式シートベルト装置１０の構成となる。
【００４０】
また、右側の座席１５であっても、座席１５に対して、第一，第二実施形態の三点式シートベルト装置１０とは左右対称の構成となっていても良い。すなわち、第一，第二実施形態では、運転席の右側上部に巻き取り機構１６と支点部１７を設け、左側下部にフックに嵌合するバックルを設けたが、これとは逆に運転席の左側上部に巻き取り機構１６と支点部１７を設け、右側下部にフックに嵌合するバックルを設けるものにも適用可能である。さらには、巻き取り機構１６が運転席の右又は左側上部ではなく、右又は左側下部に設けられたものでもよい。
つまり、本実施形態は、座席１５の左右いずれか一方側下部から他方側下部に左右に延びる下部固定部１２と、下部固定部１２の左右いずれかから座席１５の一方側上部に斜めに延びる斜め固定部１３を備え、下部固定部１２及び斜め固定部１３を押し付けて座席１５上の人１４や物を座席１５に固定する三点式シートベルト装置１０に適用可能である。
【００４１】
また、本発明に係る三点式シートベルト装置１０を設置する座席１５は、運転席や助手席に限られるものではなく、後部座席にも適用可能である。
【００４２】
ここで、目立つ色彩１１ａ，１１ｅや模様１１ｃは、蛍光色としても、反射材としても良いし、発光材でも良い。また、夜に車外から判別できるならば、赤色に限らず、通常のオレンジ色や黄色等としても良い。
地味な色彩１１ｂ，１１ｄ，１１ｆは、灰色としても、黒色としても良いし、また紺色等として良い。
【００４３】
また、目立つ色彩１１ａ，１１ｅや模様１１ｃの施し方は、目立つ色彩の繊維でシートベルト１１が編まれていても、シートベルト１１の表面に塗料が塗布されていても、剥がすことが困難なシール等が貼られていても良い。
目立つ色彩１１ａ，１１ｅを施す範囲が全て一色で塗られていても良いし、当該範囲のうち一部だけが塗られていても良い。また、目立つ色彩１１ａ，１１ｅを二色以上使って塗られていても良い。
目立つ模様１１ｃも、一色だけを使った模様でも良いし、二色以上使われている模様でも良い。また、目立つ模様１１ｃは縞模様や、水玉模様や、幾何学模様等としても良い。
【００４４】
また、表面及び裏面の両面には、両面とも同一の目立つ色彩１１ａ，１１ｅを施しても良いし、両面とも同一の目立つ模様１１ｃを施しても良い。
表面及び裏面の両面には、裏表で異なる目立つ色彩１１ａ，１１ｅを施しても良いし、裏表で異なる目立つ模様１１ｃを施しても良い。
【図面の簡単な説明】
【００４５】
【図１】図４に示すシートベルトの正しい着用状態を示す斜視図である。
【図２】図４に示すシートベルトの、斜め固定部がねじれた状態を示す斜視図である。
【図３】図４に示すシートベルトの、下部固定部がねじれた状態を示す斜視図である。
【図４】本発明の第一実施形態に係る三点式シートベルト装置におけるシートベルトを示す斜視図である。
【図５】本発明の第一実施形態に係る別の三点式シートベルト装置におけるシートベルトを示す斜視図である。
【図６】本発明の第二実施形態に係る三点式シートベルト装置におけるシートベルトを示す斜視図である。
【図７】図６に示すシートベルトの、斜め固定部がねじれた状態を示す斜視図である。
【図８】三点式シートベルト装置を着用した状態を示す外観図である。
【図９】従来例に係る三点式シートベルト装置の正しい着用状態を示す斜視図である。
【図１０】従来例に係る三点式シートベルト装置の、斜め固定部がねじれた状態を示す斜視図である。
【図１１】従来例に係る三点式シートベルト装置の、下部固定部がねじれた状態を示す斜視図である。
【符号の説明】
【００４６】
１０      三点式シートベルト装置
１１      シートベルト
１１ａ    目立つ色彩
１１ｂ    地味な色彩
１１ｃ    目立つ模様
１１ｄ    地味な色彩
１１ｅ    目立つ色彩
１１ｆ    地味な色彩
１２      下部固定部
１３      斜め固定部
１４      ドライバー（人）
１５      座席
１６      巻き取り機構
１７      支点部
２０      三点式シートベルト装置
２１      シートベルト
【図１】
2009269536.tif 000003
【図２】
2009269536.tif 000004
【図３】
2009269536.tif 000005
【図４】
2009269536.tif 000006
【図５】
2009269536.tif 000007
【図６】
2009269536.tif 000008
【図７】
2009269536.tif 000009
【図８】
2009269536.tif 000010
【図９】
2009269536.tif 000011
【図１０】
2009269536.tif 000012
【図１１】
2009269536.tif 000013